(57)【要約】【課題】石油ストーブなどに残る灯油の処理具の提供。【解決手段】紙、布、不織布などの吸収性の天然繊維などからなる灯油等の吸収パット１０とパット１０を引き出すためのタグ１１と、パット１０とタグ１１とをつなぐひも１２とからなり、使用に際しては吸収パット１０を給油ポンプのケース内などに挿入し、灯油を吸収させたのち、ひも１２を引いて収納ケース内から引き抜くようにして使用する簡易灯油吸収具。【選択図】図１
2013001420.tif 000002
【特許請求の範囲】
【請求項１】
紙、布、不織布などの吸収性の繊維などからなる灯油等の吸収パットと該吸収パットを引き出すための厚紙などからなるタグと、吸収パットとタグとをつなぐひもとからなる灯油等の吸収具。
【請求項２】
吸収パットが、吸収性のある紙、布、不織布などの繊維質シートを数層重ねたもの又は吸収性繊維質物を紙、布、不織布などのシートで包装したもので、厚紙などの固定板を介してひもが取り付けられていることからなる請求項１記載の吸収具。
【請求項３】
タグが厚紙又はプラスチック製のシートで、形状が粗い櫛の歯状で、容器などの口に係止できるようにしてなる請求項１載の吸収具。
【請求項４】
タグの幅方向の中央にひも用のスリットを設け、このスリットを介して使用後の吸収パットをタグに引き寄せられるようにした請求項１記載の吸収具。
【発明の詳細な説明】
【技術分野】
【０００１】
本発明は石油ストーブ等に残る灯油などを除去するための吸収具に関するものである。
【背景技術】
【０００２】
石油ストーブは、電気ストーブに比べて特別な電気配線などを必要とせず、ストーブさえあれば使用できることから、屋外に設置される大型のストーブのほかに、家庭内で使用される小型のストーブなど多くの種類のものが使用されている。
石油ストーブの使用においての問題点は、ストーブに燃料である灯油を補給することが必要であることと、使用後に残るストーブ内の灯油の処理が必要であるということである。
家庭で使用されるストーブの場合には、図７に示すような吸上管２と吐出ホース３に吸上げポンプ部４を備えた簡易給油ポンプ１が使用されており、給油は主として主婦によって行われている（特許文献１）。しかしながら、使用後の給油ポンプ１から灯油が垂れ落ちることが問題となっている。
【先行技術文献】
【特許文献】
【０００３】
【特許文献１】特開２００８−１８４９５８号公報
【発明の概要】
【発明が解決しようとする課題】
【０００４】
図７で示されるような簡易給油ポンプ１で給油した場合、吸上管２と吐出ホース３のいずれにも微量の灯油がこれらの内面に付着して残るため、灯油用のポリタンク（ポリ容器）やストーブの灯油注入口から給油ポンプ１を抜き出したときに灯油が周囲に付着しないように注意しなければならないという問題があった。そのため、灯油タンク５にポンプ収納ケース６を併設したものなどが市販されており、収納ケース６に給油ポンプ１を収納できるようにしている。しかし、給油ポンプ１を使用するたびにこの収納ケース６の底に灯油が溜まり、収納ケース６からの取り出し時にも給油ポンプ１の先端から灯油が垂れ落ちることがあった。また、給油ポンプは灯油タンクとは別に販売されており、灯油タンクに収納ケーが付いてないものが多く、このような場合には別に収納ケースが使用され、収納ケースが倒れて灯油が流れ出るなどの問題も起きている。
本発明は、このような問題を解決するためのもので、ポンプの収納ケース内などに溜まる灯油を除去する吸収具を提供するものである。
【課題を解決するための手段】
【０００５】
本発明の灯油等の吸収具は、図１に示すように、灯油等の吸収パット１０とパット１０を引き出すためのタグ１１と、パット１０とタグ１１とをつなぐひも１２とからなる。
本発明の吸収具は、使用に際しては吸収パット１０を給油ポンプの収納ケース内に挿入し、灯油を吸収させたのち、ひも１２を引いて収納ケース内から引き抜くようにして使用する。
【発明の効果】
【０００６】
本発明の吸収具は、吸収パットをポンプの収納ケース等に挿入し、引き出すだけで狭い筒状体内の灯油を簡単に除去できる。吸収パット、ひも、タグなどのすべてを天然繊維などの有機材料で構成することで、使用後は容易に廃棄、焼却等ができ環境を汚染しないなどの利点をも有する。
【図面の簡単な説明】
【０００７】
【図１】本発明の一実施例を示す斜視図である。
【図２】吸収パットの構成を示す一部破断斜視図である。
【図３】タグの使用例を示す斜視図である。
【図４】本発明の一使用例を示す斜視図である。。
【図５】本発明の他の使用例を示す一部破断側面図である。
【図６】本発明の製品形態の一例を示す斜視図である。
【図７】給油ポンプと灯油タンクを示す斜視図である。
【発明を実施するための最良の形態】
【０００８】
本発明における吸収パット１０は、吸収性のある繊維質の物質、例えば、綿、紙、布などの天然繊維又は不織布などの合成繊維などの吸収体１３で作られ、布や紙などのシート状物の場合にはこのシート１３ａを数層に巻いたり数枚折り重ねたものとしてもよく、また、通常は、綿や繊維屑などの吸収体１３を紙、布製の袋１４に入れた形のものとするか、又は紙、布で包んだものとする。
【０００９】
この吸収パット１０は、ひも１２を取り付けるための固定板１５を取り付けて、ひも１２を取り付ける。固定板１５は厚紙などの板状物で吸収パット１０の片面又はパットを挟む形で取り付ける。固定板１５はパット１０を給油ポンプ１の先端で収納ケース６内に押し込むときやパット１０を収納ケース６から引き抜くときにパット１０が破損するのを防止する役割をする。
【００１０】
ひも１２は通常の天然繊維の糸が好ましいが、ポリエチレン繊維などの合成繊維のひも（糸）でもよい。ひも１２は吸収パット１０の固定板１５にホチキス針１６などで、吸収パット１０への固定板１５の取り付けと一緒に止めてもよく、また、ホチキス針１６による固定板の取り付けとは別に固定板に孔をあけてこれにひもを取り付けても良い。
【００１１】
タグ１１は好ましくはボール紙などの厚紙で作られ、必要に応じて片面にポリエチレン、ポリプロピレンなどのプラスチックを塗布又はラミネートした紙としてもよい。また、プラスチックシートでもよい。形状は、図１に示すように粗い櫛の歯状に切欠き部１７を作り、図３（ｂ）に示すように収納ケース６の口に止められるようにするが、使用に際してはこれに限定されることなく、図３（ａ）に示すようにタグ１１を収納ケース６の外に出しておくだけの使用としても良い。この場合には、タグは櫛の歯状とせず、四角いシートであってもよい。
タグ１１へのひも１２の取付は、通常はタグに設けた孔１１ａにひもを通して結び付けるが、吸収パットへの取付と同じ方法で行ってもよい。
【００１２】
灯油を吸収させたのちのパット１０は、ひも１２を引いて収納ケース６から取り出して廃棄する。このほか、取り出す方法としては、タグの形状を図４（ａ）に示すように、タグ１１の幅方向の中央にひも１２を引き込むためのスリット（切れ目）１８を設け、このスリット１８にひも１２を引き込んでパット１０を引き上げ、図４（Ｂ）に示すように引き上げたパット１０をタグ１１を折り曲げて挟んで廃棄容器に捨てるようにしてもよい。このようにすると、パットの灯油が他の部分に付着することがなく簡易に安全に処理できる。タグの片面にプラスチックをラミネートしておくと、灯油が直接手に触れることもない。
【００１３】
本発明は、給油ポンプと灯油タンクを例に説明したが、図５に示すように、使用後の石油ストーブ７内に残る灯油８の処理などにも使用できる。
本発明は灯油を例に説明したが、灯油以外の類似の液体の処理に使用できることは勿論である。
本発明の吸収具は、図６に示すように、吸収パット１０にひも１２を巻き付けタグ１１を備えた吸収具を必要数、例えば４ないし５個をポリ袋（プラスチック製袋）１９に入れた包装形態とし、必要ならば更に印刷を施した化粧袋や容器に入れて販売する。使用後の吸収具は、ポリ袋１９に入れて廃棄することで廃棄容器を別に用意しなくてもよいなどの利点を有する。
【符号の説明】
【００１４】
１：給油ポンプ１、２：吸上管、３：吐出ホース、４：吸上げポンプ部、
５：灯油タンク、６：ポンプ収納ケース、
１０：吸収パット、１１：タグ、１２：ひも、１３：吸収体
１７：切欠き部、１８：スリット
【図１】
2013001420.tif 000003
【図２】
2013001420.tif 000004
【図３】
2013001420.tif 000005
【図４】
2013001420.tif 000006
【図５】
2013001420.tif 000007
【図６】
2013001420.tif 000008
【図７】
2013001420.tif 000009